(57)【要約】【課題】この発明は、光学分離手段と表示パネルとの相対位置を容易に調整できる立体映像表示装置の光学分離装置の調整方法を提供することを目的とする。【解決手段】この発明の立体映像表示装置の調整方法は、複数の視点からなる映像を表示する液晶表示パネルと、液晶表示パネルからの映像光を一対の視点からの映像光として左右の眼に対応して分離する光学分離装置と、を備え、液晶表示パネルに第１の画像と第２の画像を表示させ、観察者が最適な観察位置の２分の１の距離の位置から、第１の画像と第２の画像所定と液晶表示パネルと光学分離装置光との間に発生する干渉縞との関係から光学分離装置の状態を認識し、光学分離装置段の状態を調整する。【選択図】　図１
2004004683.tif 000002
【特許請求の範囲】
【請求項１】
複数の視点からなる映像を表示する映像表示手段と、映像表示手段からの映像光を一対の視点からの映像光として左右の眼に対応して分離する光学分離手段と、を備え、映像表示手段に所定の画像を表示させ、観察者が最適な観察位置とは異なる位置から、所定の画像と、映像表示手段と光学分離手段との間に発生する干渉縞との関係から光学分離手段の状態を認識し、光学分離手段の状態を調整することを特徴とする立体映像表示装置の調整方法。
【請求項２】
観察者の位置が、立体映像表示装置の正面であり、最適な観察距離に対して整数分の１の距離の位置であることを特徴とする請求項１に記載の立体映像表示装置の調整方法。
【請求項３】
観察者の位置が、立体映像表示装置の正面であり、最適な観察距離に対して２分の１の距離の位置であることを特徴とする請求項２に記載の立体映像表示装置の調整方法。
【請求項４】
前記所定の画像が、帯状の画像又は一様な画像若しくはその組合せであることを特徴とする請求項１ないし３のいずれかに記載の立体映像表示装置の調整方法。
【請求項５】
前記帯状の画像が、観察者の位置において発生する干渉縞の周期の整数倍の周期で描画されることを特徴とする請求項４に記載の立体映像表示装置の調整方法。
【請求項６】
前記帯状の画像が、観察者の位置において発生する、干渉縞の間隔と等しい幅の画像であることを特徴とする請求項４又は５に記載の立体映像表示装置の調整方法。
【請求項７】
前記所定の画像に、干渉縞の状態を確認する画像が付加されていることを特徴とする請求項１ないし６のいずれかに記載の立体映像表示装置の調整方法。
【請求項８】
前記干渉縞の状態を確認する画像が、調整完了時の干渉縞の見え方を表す画像であることを特徴とする請求項７に記載の立体映像表示装置の調整方法。
【請求項９】
前記所定の画像が、立体映像表示装置に映る観察者の位置が認識できる範囲の低輝度領域を持つことを特徴とする請求項１ないし８のいずれかに記載の立体映像表示装置の調整方法。
【請求項１０】
前記所定の画像が、文字又は矢印又は図形もしくはそれらの組み合わせであることを特徴とする請求項１ないし８のいずれかに記載の立体映像表示装置の調整方法。
【請求項１１】
前記矢印は、調整完了時には見えず、それ以外の状態で光学分離手段を移動すべき方向を示すことを特徴とする請求項１０に記載の立体映像表示装置の調整方法。
【請求項１２】
前記矢印は、調整完了時には見えず、それ以外の状態でモアレを移動すべき方向を示すことを特徴とする請求項１０に記載の立体映像表示装置の調整方法。
【請求項１３】
前記文字又は図形は、調整完了時に左右の眼で見た際に、意味のある言葉や図形となることを特徴とする請求項１０に記載の立体映像表示装置の調整方法。
【請求項１４】
干渉縞の状態を確認する画像を、調整完了時に複数の視点画像が見える領域に付加することを特徴とする請求項８に記載の立体映像表示装置の調整方法。
【請求項１５】
複数の視点からなる映像を表示する映像表示手段と、映像表示手段からの映像光を一対の視点からの映像光として左右の眼に対応して分離する光学分離手段と、映像表示手段に所定の画像を表示させるよう制御する制御手段と、観察者の指示を判断する手段と、を備え、前記制御手段は、観察者が最適な観察位置とは異なる位置において位置調整の判断できる所定の画像を映像表示手段に表示させ、映像表示手段と光学分離手段との間に発生する干渉縞との関係から光学分離手段の状態を認識して光学分離手段の状態を調整を支援することを特徴とする立体映像表示システム。
【請求項１６】
前記所定の画像に調整のためのつまみ位置を矢印で示すことを特徴とする請求項１５に記載の立体映像表示システム。
【請求項１７】
前記所定の画像に調整が完了した時の見え方を表示することを特徴とする請求項１５または１６に記載の立体映像表示システム。
【発明の詳細な説明】
【０００１】
【発明の属する技術分野】
この発明は、立体映像表示装置の光学分離装置の調整方法に関する。
【０００２】
【従来の技術】
近年、電子表示装置の分野において、技術の発達が著しく、表示画面の大画面化、高精細化が進んでいる。表示画面の大画面化、高精細化によって、表示画面上、人間の視野に占める画像の割合が増加し、人間の目の分解能では判別できないほど高密度に画素を配置することができる。これにより、画像は実物に近い、自然なものとなり、高い臨場感を生むことになる。しかしながら、このような画像は平面的であるのに対し、実際の物は立体的であるため、より臨場感を高めた自然な画像とするには、平面的な画像では限界がある。
【０００３】
ところで、人間は、左右２つの目の働きにより、物を立体的に見ることができる。したがって、立体的に物を表示できれば、より高い臨場感を生むことになる。そこで、近年、物の立体的表示に関する研究が盛んに行われている。
【０００４】
従来、種々の立体映像表示装置が提案されており、その中で、特殊な眼鏡なしに立体映像を表示する装置として、レンチキュラレンズやパララックスバリアなどの光学分離手段を用いたものが知られている。特開平１０−２６８２３２号公報には、バックライトと、表示パネルとしての液晶表示パネルと、この液晶表示パネルの観察者側に配置されるパララックスバリアと、を備えた立体映像表示装置が提案されている。
【０００５】
【発明が解決しようとする課題】
従来の立体映像表示装置では、バララックスバリアなどの光学分離手段を表示パネルとの相対位置を調整した後、両者を取り付けている。これらの相対位置が狂うと立体視ができなかったり、左右の映像が混じり合い干渉縞が観察されたりする問題が発生する。このため、従来の立体映像表示装置においては、光学分離手段と表示パネルとの相対位置を正確に調整した後、取り付けた後は、通常取り外しは行われない。すなわち、従来の立体映像表示装置の表示パネルは、立体映像専用に準備されている。
【０００６】
また、上記した調整作業も煩わしく、経験を積まないとうまく調整が行えないのが現状である。
【０００７】
一方、最近、液晶ディスプレイ装置やノート型パソコンの普及がめざましく、これらの装置においても手軽に立体映像を観察できることが望まれている。これら装置に光学分離手段を取り付ける場合、上記した位置調整が容易に行えることが望まれる。
【０００８】
そこで、この発明は、光学分離手段と表示パネルとの相対位置を容易に調整できる立体映像表示装置の光学分離装置の調整方法を提供することを目的とする。
【０００９】
【課題を解決するための手段】
この発明の立体映像表示装置の調整方法は、複数の視点からなる映像を表示する映像表示手段と、映像表示手段からの映像光を一対の視点からの映像光として左右の眼に対応して分離する光学分離手段と、を備え、映像表示手段に所定の画像を表示させ、観察者が最適な観察位置とは異なる位置から、所定の画像と、映像表示手段と光学分離手段との間に発生する干渉縞との関係から光学分離手段の状態を認識し、光学分離手段の状態を調整することを特徴とする。
【００１０】
また、観察者の位置が、立体映像表示装置の正面であり、最適な観察距離に対して整数分の１の距離の位置にするとよく、２分の１の距離の位置にするとよい。
【００１１】
上記のように構成すると、左右の眼に見える干渉縞の明暗の位置が完全に一致し、違和感がなくなり、その画像を観察することにより光学分離装置の調整を容易に行える。
【００１２】
また、所定の画像が、帯状の画像又は一様な画像若しくはその組合せにすればよい。あた、前記帯状の画像が、観察者の位置において発生する干渉縞の周期の整数倍の周期で描画されるとよい。また、前記帯状の画像が、観察者の位置において発生する干渉縞の間隔と等しい幅の画像にするとよい。
【００１３】
上記のように構成すると、調整画像の区別が容易になり、調整が容易に行える。
【００１４】
更に、前記所定の画像に、干渉縞の状態を確認する画像が付加するとよく、また、前記干渉縞の状態を確認する画像が、調整完了時の干渉縞の見え方を表す画像にするとよい。
【００１５】
上記のように構成すると、位置ずれ状態が明瞭に把握でき、調整が容易に行える。
【００１６】
また、前記所定の画像が、立体映像表示装置に映る観察者の位置が認識できる範囲の低輝度領域を持つように構成するとよい。
【００１７】
上記のように構成すると、観察者の立つ位置が確認しやすくなる。
【００１８】
前記所定の画像が、文字又は矢印又は図形もしくはそれらの組み合わせで構成すとよい。
【００１９】
前記矢印は、調整完了時には見えず、それ以外の状態で光学分離手段を移動すべき方向を示すように構成できる。
【００２０】
また、前記矢印は、調整完了時には見えず、それ以外の状態でモアレを移動すべき方向を示すように構成できる。
【００２１】
また、前記文字又は図形は、調整完了時に左右の眼で見た際に、意味のある言葉や図形となるように構成することができる。
ことを特徴とする請求項１０に記載の立体映像表示装置の調整方法。
【００２２】
また、干渉縞の状態を確認する画像を、調整完了時に複数の視点画像が見える領域に付加するように構成してもよい。
【００２３】
上記のように構成すると、調整画像の区別が容易になり、調整が容易に行える。
【００２４】
また、この発明は、複数の視点からなる映像を表示する映像表示手段と、映像表示手段からの映像光を一対の視点からの映像光として左右の眼に対応して分離する光学分離手段と、映像表示手段に所定の画像を表示させるよう制御する制御手段と、観察者の指示を判断する手段と、を備え、前記制御手段は、観察者が最適な観察位置とは異なる位置において位置調整の判断できる所定の画像を映像表示手段に表示させ、映像表示手段と光学分離手段との間に発生する干渉縞との関係から光学分離手段の状態を認識して光学分離手段の状態を調整を支援することを特徴とする。
【００２５】
前記所定の画像に調整のためのつまみ位置を矢印で示すように構成できる。また、前記所定の画像に調整が完了した時の見え方を表示するように構成できる。
【００２６】
上記のように構成すると、調整が容易に行える立体映像表示システムを提供できる。
【００２７】
【発明の実施の形態】
以下、この発明の実施形態を図面に基づいて説明する。図１は、この発明が適用される液晶ディスプレイ装置を示す正面図、図２は、この発明が適用して好適な光学分離装置を示す正面図、図３は、この光学分離装置を液晶ディスプレイ装置に取り付ける状態を示す正面図、図４は、この光学分離装置を液晶ディスプレイ装置に取り付けた状態を示す正面図、図５は、この光学分離装置を液晶ディスプレイ装置に取り付けた状態を示す側面図である。
【００２８】
図１に示すように、液晶モニタなどからなるディスプレイ装置１は、パーソナルコンピュータ等の表示デバイスとして用いられるものであり、液晶表示パネル１１を筺体１２に収容している。筺体１２には脚部１３が取り付けられ、この脚部１３により机の上などに設置される。
【００２９】
液晶ディスプレイ装置１に図示しないパーソナルコンピュータ等から映像信号が与えられ、液晶表示パネル１１にて所定の映像が表示される。立体映像の場合には、視点数に応じた映像が表示される。例えば、視点数が２の２眼式の場合は、左眼用映像と右眼用映像が交互に表示されることになる。この液晶ディスプレイ装置１に光学分離装置２を装着することにより、立体映像を表示する装置として用いる。
【００３０】
図２に示すように、この光学分離装置２は、例えば、パララックスバリアが用いられ、ガラス又は透明樹脂などの基板に液晶表示パネルのピッチに対応して多数のストライプ状の遮光薄膜を形成したパララックスバリア基板２１が支持枠２２で保持されている。この支持枠２２の上部の両端には、直角に折れ曲がった形状の係止部２３が形成されている。
【００３１】
図３に示すように、光学分離装置２のパララックスバリア基板２１と液晶ディスプレイ装置１の液晶表示パネル１１との位置を合わせて係止部２３を液晶ディスプレイ装置１の筺体１２の上部に引掛けて、光学分離装置２を液晶ディスプレイ装置１に係止する。
【００３２】
図４及び図５に示すように、光学分離装置２は、使用時には、液晶ディスプレイ装置１の液晶表示パネル１１を覆う位置に装着される。これにより、この液晶ディスプレイ装置１を見る人は、液晶ディスプレイ装置１の液晶表示パネル１１に表示される映像をこの光学分離装置２を通して見ることになる。
【００３３】
例えば、２眼式の場合には、液晶表示パネル１１に右眼用画像と左眼用画像が１列ごとに表示される。バックライトからの光を透過した映像はパララックスバリア基板２１により分離され、この液晶ディスプレイ装置１を見る人は、左眼用映像を左眼で、右眼用映像を右眼でそれぞれ観察し、立体映像を視認することになる。
【００３４】
図５の側面図に示すように、この光学分離装置２が装着された液晶ディスプレイ装置１の表示面に沿って装着され、光学分離装置２と液晶ディスプレイ装置１の液晶表示パネル１１の表示面との間隔は、一定に保たれている。また、光学分離装置２は係止部２３を液晶ディスプレイ装置１の筺体１２の上部に引掛けて係止されていることから、光学分離装置２は液晶ディスプレイ装置１から容易に着脱可能である。
【００３５】
液晶ディスプレイ装置１に取り付けた光学分離装置２は、液晶表示パネル１１の画素位置と光学分離装置２のストライプ状の遮光薄膜との位置関係が上手く合わないと立体視ができない。すなわち、映像を左右に分離することができず、そこで、液晶ディスプレイ装置１に光学分離装置２に係止部材２３により取り付けた後、光学分離装置２の調整を行う。
【００３６】
調整は、以下の３種類の調整を行う。
まず、光学分離装置（パララックスバリア）２の回転調整である。この調整は、パララックスバリアのストライプ状の遮光薄膜の垂直方向と液晶表示パネルの画素の垂直方向の角度を調整する。この調整は必須の調整で、これが狂うと立体視ができない。
【００３７】
２つ目の調整は、光学分離装置（パララックスバリア）２の水平位置の微調整である。２眼式の場合は、液晶表示パネルの真正面に２つの視点が位置するように微調整する。逆視状態は、左右画像の表示画素を逆にすることで正視状態に変換できる。また、仮にこの調整を行わなくても、観察者が頭部位置を調整すれば立体視は可能である。多眼式の場合も同様で、表示装置の真正面にいずれかの視点のペアが位置するように微調整する。ペアが正しくない場合は、各画像の表示画素を変更することで変換できる。
【００３８】
３つ目の調整は、２つ目の調整で左右画像の表示画素を逆にする処理を行わない場合の光学分離装置（パララックスバリア）２の水平位置調整（視点と画像の一致）である。この調整は、上記の左右画像（ペア画像）、の配置も含めて厳密に調整する。この処理のあとに２つ目の微調整を行うことになるが、これらは共通の操作で調整が可能なので、ユーザの負担が減少する。
【００３９】
この発明は、この調整を容易に行う方法を提供するものである。まず、２眼式における最適観察距離での映像の見え方につき図６に従い説明する。
【００４０】
液晶表示パネル１１に右眼映像Ｒと左眼用映像Ｌが交互に表示される。この液晶表示パネル１１の観察者側に距離Ｇだけ離れてパララックスバリア基板２１が配置される。パララックスバリア基板２１には、ストライプ状の遮光薄膜２１ａが設けられている。遮光膜２１ａ、２１ａ間の開口部２１ｂを通過した映像光を観察者が観察する。最適観察距離（Ｄ）では、干渉縞は発生しない。このとき下記関係が成り立つ。
【００４１】
ＰＤ＝ＧＥ
Ｉ（Ｇ＋Ｄ）＝２ＰＤ
Ｉ＝２ＰＥ／（Ｅ＋Ｐ）
【００４２】
ここで、Ｐは画素間ピッチ、Ｄはパララックスバリア基板から観察者までの最適観察距離、Ｇは液晶表示パネルとパララックスバリア基板との間の距離、Ｉはパララックスバリア基板の開口部間のピッチ、Ｅは観察者の眼間距離である。
【００４３】
一般的に最適観察距離（Ｄ）から観察者が前後に外れると干渉縞（モアレ）が発生する。この干渉縞の見え方（明暗の位置）が左右の眼で異なるため、違和感が生じる。
【００４４】
次に、この発明にかかる調整方法につき説明する。この発明における調整時の観察距離を図７に示す。
【００４５】
図７に示すＪを２以上の整数とすると、最適観察距離の１／Ｊの距離（Ｄ／Ｊ）では、開口部を通して左右の眼が見る点の間隔がＰの整数倍（ＪＰ）になる。そのため、左右の眼に見える干渉縞の明暗の位置が完全に一致し、違和感がなくなり、その画像を観察することにより光学分離装置（パララックスバリア）２の調整が可能となる。
【００４６】
Ｊの値や表示する画像によっては、干渉縞の色や模様も完全に一致し、違和感が完全に除去される。
【００４７】
このとき、干渉縞のピッチ（周期）は、Ｅ／（Ｊ−１）となる。Ｊ＝２のときは、干渉縞のピッチはＥである。
【００４８】
以下の関係式から上記のようになることが分かる。
【００４９】
2004004683.tif 000003
【００５０】
上記のような関係により、光学分離装置（パララックスバリア）２と液晶表示パネル１１との相対位置が合致すれば、干渉縞の色や模様も完全に一致する。この干渉縞等の一致を判断することで調整が容易に行える。この時、液晶表示パネル１１に表示させる画像を選べば、より調整が容易になる。以下に、その画像の例を挙げ説明する。
【００５１】
図８に示す例では、理解を容易にするために、液晶表示パネル１１の画面の幅を眼間距離（Ｅ）の４倍にして説明する。また、観察位置は最適観察位置（Ｄ）の１／２の距離である。他の例でも同じである。
【００５２】
この図８に示す例では、画像を色（柄）の異なる一様画像とし、縞を見ながら調整する。例えば、第１画像を右眼映像用画像とすれば、図８（ａ）でクロスハッチングを施して示すように、右眼用画像が表示される液晶表示パネルの当該画素に一様模様又は一色の色の映像が表示される。また、第２画像を左眼映像用画像とすれば、図８（ｂ）において点々で施して示すように、左眼用画像が表示される液晶表示パネルの当該画素に第１画像とは異なる一様模様又は一色の色の映像が表示される。
【００５３】
このような、第１、第２画像を液晶表示パネルに表示し、最適観察位置（Ｄ）の１／２の距離で観察することで、観察者の目には、干渉縞が観察され、その干渉縞を見ながら、光学分離装置（パララックスバリア）２を移動させて調整する。最適観察位置（Ｄ）の１／２の距離で位置あわせが完了すると、眼間距離Ｅの幅に相当する第１画像、第２画像の干渉縞が観察できる。この結果を得るように調整することで、簡単に調整が行える。この調整において、一方の画像を黒、他方の画像を白にすると、干渉縞が最も濃くなり、調整し易い。
【００５４】
図９に示す例は、どの様に位置ずれが発生しているかを容易に判断できるような画像を表示したものである。このため、少なくとも一方の画像に、縞の状態が確認できる画像を付加している。この図９の例では、図９（ｂ）に示すように、第２画像に縞の状態が確認できる画像を付加している。第２画像の上下端部にそれぞれ眼間距離Ｅを隔てて第１画像の画像を付加している。
【００５５】
このような第１画像、第２画像を液晶表示パネルに表示し、最適観察位置（Ｄ）の１／２の距離で観察すると、液晶表示パネルと光学分離装置（パララックスバリア）２との相対位置に回転ずれが発生していると、図９（ｃ）に示すように、縞が斜めになった状態で観察される。このように観察した場合には、回転調整を行い縞が真っ直ぐな状態になるように調整を行う。
【００５６】
液晶表示パネルと光学分離装置（パララックスバリア）２との相対位置に水平の位置ずれが発生していると、図９（ｄ）に示すように、第２の画像の付加した画像が一部だけ観察される。このように観察した場合には、光学分離装置（パララックスバリア）２を水平移動させ、付加した画像が見えなくなるまで調整を行う。
【００５７】
また、逆視状態で水平の位置ずれが発生していると、図９（ｅ）に示すように、第２の画像の付加した画像が完全に観察される。このように観察した場合には、適視距離では逆視状態であると判断できる。このような場合には、液晶表示パネルに表示する左右の画像を入れ替えることでも対応できるが、画像を入れ替えない場合には、光学分離装置（パララックスバリア）２を水平移動させ、付加した画像が見えなくなるまで調整を行う。画像入れ替えなどの表示による調整が不要なので、ユーザの負担が減少する。そして、位置合わせが完了すると、図９（ｆ）に示す画像が観察される。図９（ｆ）に示す状態になれば、適視距離で正視状態で位置合わせが完了したことになる。
【００５８】
図１０に他の調整画像の例を示す。図１０に示すものは、画像を、同じ色（柄）で配置が逆の帯状画像とし、全面が一様になるように位置合わせする。帯は中央が境界となるように描画する。図１０（ａ）、図１０（ｂ）に示すように、両者の画像は中央を境界として、逆のパターンである。尚、帯の幅は、必ずしも眼間距離Ｅと一致する必要はない。また、少なくとも一方の画像に、縞の状態が確認できる画像を付加しておくと調整がし易い。この図１０の例では両方の画像に付加している。）
【００５９】
このような第１画像、第２画像を液晶表示パネルに表示し、最適観察位置（Ｄ）の１／２の距離で観察すると、位置合わせが完了すると、図１０（ｃ）に示すように、一様な画面になる。
【００６０】
図１１に更に他の調整画像の例を示す。図１１に示すものは、同図（ａ）、（ｂ）に示すように、画像を、同じ色（柄）の下地で異なる色（柄）の帯状画像とする。そして、同図（ｃ）に示すように、同じ色（柄）のみが見えて全面が一様になるように位置合わせする。
【００６１】
尚、図示はしないが、少なくとも一方の画像に、縞の状態が確認できる画像を付加しておくと調整がし易い。
【００６２】
このような第１画像、第２画像を液晶表示パネルに表示し、最適観察位置（Ｄ）の１／２の距離で観察すると、位置合わせが完了すると、図１１（ｃ）に示すように、一様な画面になる。
【００６３】
図１２に更に他の調整画像の例を示す。図１２に示すものは、同図（ａ）、（ｂ）に示すように、画像を、同じ色（柄）の下地で異なる色（柄）の帯状画像とする。そして、同図（ｃ）に示すように、異なる色（柄）による縞模様になるように位置合わせする。
【００６４】
尚、少なくとも一方の画像に、縞の状態が確認できる画像を付加しておくと調整がし易い。この図１２の例では、両方の画像に付加している。
【００６５】
図１３に更に異なる調整画像の例を示す。この図１３に示すものは、画像の一部領域の輝度を低くし、観察者の両眼を映して正面位置を確認し易くしたものである。
【００６６】
次に多眼式の例につき説明する。多眼式の場合も同様で、表示装置の真正面にいずれかの視点のペアが位置するように微調整する。ペアが正しくない場合は、各画像の表示画素を変更することで変換できる。図１４は、水平４眼式における最適観察距離での映像の見え方を示す模式図である。
【００６７】
液晶表示パネル１１に視点１，２，３，４の映像が順次表示される。この液晶表示パネル１１の観察者側に距離Ｇだけ離れてパララックスバリア基板２１が配置される。パララックスバリア基板２１には、ストライプ状の遮光薄膜２１ａが設けられている。遮光膜２１ａ、２１ａ間の開口部２１ｂを通過した一対のペアの映像光を観察者が観察する。
【００６８】
図１５に示すＪを２以上の整数とすると、最適観察距離の１／Ｊの距離（Ｄ／Ｊ）では、開口部を通して左右の眼が見る点の間隔がＰの整数倍（ＪＰ）になる。このように、多眼式でも２眼式と同様の議論がなりたち、Ｄ／Ｊの距離で干渉縞の明暗が重なる。このことから前述した２眼式の場合と同様に、画像を観察することにより光学分離装置（パララックスバリア）２の調整が行える。
【００６９】
図１６に表示させる画像の例を示す。理解を容易にするために、液晶表示パネル１１の画面の幅を眼間距離（Ｅ）の４倍にして説明する。また、観察位置は最適観察位置（Ｄ）の１／２の距離である。他の例でも同じである。図１６（ａ）に示すように、全ての視点用に異なる画像を表示する。このように表示すると、（ｂ）に示すように、Ｄ／２の距離で左右の眼に異なる画像が見えて調整しにくい。そこで、表示させる画像を調整しやすい画像にする。
【００７０】
図１７に水平４眼式の調整画像の例を示す。図１７（ａ）に示すように、正面に対応する１視点用にのみ異なる画像を表示し、他は同じ画像を表示する。このような画像を表示すると、調整完了時には図１７（ｂ）に示すように、干渉縞が濃くなる、あるいは色や模様が付くため分かりやすくなる。調整は、片眼の画像により調整ができる。
【００７１】
尚、少なくとも一つの画像に、縞の状態が確認できる画像を付加しておくと調整がし易い。図１７の例では、全ての画像に付加している。
【００７２】
図１８に水平４眼式の調整画像の他の例を示す。図１８（ａ）に示すように、正面に対応する１視点用にのみ帯状の画像を表示し、他は同じ画像を表示する。このような画像を表示すると、調整完了時には図１８（ｂ）に示すように、片眼の画像のみ帯状画像が見える。片眼の画像にのみ帯状の画像が見えるように調整する。
【００７３】
尚、少なくとも一つの画像に、縞の状態が確認できる画像を付加しておくと調整がし易い。図１８の例では、全ての画像に付加している。
【００７４】
図１９に水平４眼式の調整画像の更に他の例を示す。図１９（ａ）に示すように、偶数視点と奇数視点にグループ分けし、それぞれに同じ画像を表示する。調整完了時には図１９（ｂ）に示すように、Ｄ／２の距離で左右の眼に同じ画像が見える。この例では、両眼での調整ができる。
【００７５】
尚、少なくとも一つの画像に、縞の状態が確認できる画像を付加しておくと調整がし易い。図１９では全ての画像に付加している。
【００７６】
また、正面に対応する視点用の画像に印（図１９では●）を付加すると、視点と画像の対応も正しく調整できる。
【００７７】
図２０に水平４眼式の調整画像の異なる例を示す。図２０の例では、偶数視点と奇数視点にグループ分けし、それぞれに帯状画像にしたものである。調整完了時には図２０（ｂ）に示すように、Ｄ／２の距離で左右の眼に同じ画像が見える。この例では、両眼での調整ができる。
【００７８】
尚、少なくとも一つの画像に、縞の状態が確認できる画像を付加しておくと調整がし易い。図２０では全ての画像に付加している。
【００７９】
また、正面に対応する視点用の画像に印（図２０では●）を付加すると、視点と画像の対応も正しく調整できる。
【００８０】
図２１に水平４眼式の調整画像の更に異なる例を示す。図２１の例では、偶数視点と奇数視点にグループ分けし、それぞれに同じ模様の帯状画像にしたものである。調整完了時には図２１（ｂ）に示すように、Ｄ／２の距離で左右の眼に同じ画像が見える。この例では、両眼での調整ができる。
【００８１】
尚、少なくとも一つの画像に、縞の状態が確認できる画像を付加しておくと調整がし易い。
【００８２】
また、正面に対応する視点用の画像に印（図２１では●）を付加すると、視点と画像の対応も正しく調整できる。
【００８３】
次に、垂直方向にも複数の視点を有する場合の調整につき図２２に従い説明する。
【００８４】
水平方向に関しては水平のみの多眼式と同じ考え方で調整が可能である。回転調整については、水平方向と垂直方向の一方の軸で調整すれば他方の軸についても自動的に調整される。水平方向で調整する場合は、垂直方向には同じ画像を表示してもよい。
【００８５】
図２２（ａ）に示す画像を与えれば、Ｄ／２の距離では、左右の眼に図２２（ｂ）に示す映像が観察される。
【００８６】
各視点用の画像は、方形画像や垂直方向の帯状画像でもよい。また、正面に対応する視点用の画像に印（図では●）を付加すると、視点と画像の対応も正しく調整できる。
【００８７】
尚、水平７眼式のように、厳密に正面に対応する２視点がない場合は、例えば中央近傍の２視点である４と５を選択すればよい。
【００８８】
上記した実施形態は、光学分離装置として、パララックスバリア方式を用いたものを説明したが、レンチキュラレンズ方式やマイクロポールを用いた偏光メガネ方式など、モアレを発生させることができるいずれの方式においても同様の手法で調整が可能である。パララックスバリア、レンチキュラレンズ、ピンホールなどを斜めに配置するような方式においても、調整時の観察位置を考慮した適切な画像を適切に合成した画像により調整が可能である。
【００８９】
次に、ピンホールを斜めに配置したパララックスバリアを用いた場合につき説明する。図２３乃至図２６に、視点数が４で、ピンホールを斜めに配置したパララックスバリアを用いた場合につき説明する。図２３は、液晶表示画面に表示される画素の関係を示す模式図、図２４は、この表示画面に対応するパララックスバリアを示す模式図である。
【００９０】
図２３に示すように、左右方向、上下方向共に”４””３””２””１”の順序で繰り返して４つの視点に対応する画像が合成されて表示される。この表示画面に対応して、図２４に示すように、パララックスバリアは、階段状にピンホール２０ａが形成された斜めストライプ状のバリア部２１ａが設けられている。このパララックスバリアを用いると、図２５、図２６に示すように、左右の眼に隣接する視点の画像が分離されて与えられる。図２５は、適視距離において、左眼で図２３に示す表示画面を見た状態を、図２６は、適視距離において、右眼で図２３に示した表示画面を見た状態を示す模式図である。
【００９１】
表示画面とパララックスバリア基板の位置関係を調整すると、図２５、図２６に示すように、この例では、左右の眼に２、３の視点からの映像が観察される。
【００９２】
さて、このように構成されたピンホールを斜めに配置したパララックスバリアを用いた場合の調整方法につき説明する。適視距離においては、上記した図２５、図２６に示すように、左右の眼にそれぞれ１つの視点、この例では２、３の視点からの画像を観察することができる。しかし、適視位置より近くから観察すると、異なる視点からの画像を観察することになる。図２７及び図２８にパララックスバリアと表示パネルとの位置調整が終了した時の表示装置において、適視距離の半分の距離で観察した様子を示す。図２７は、適視距離の半分の距離において、左眼で図２３に示す表示画面を見た状態を、図２８は、適視距離の半分の距離において、右眼で図２３に示した表示画面を見た状態を示す模式図である。
【００９３】
左右の眼の正面付近は、眼とピンホールと画素との位置関係がほとんど変わらないので、適視距離と同じ視点の画像が見える。しかし、その他の領域は、眼とピンホールと画素との位置関係が変わるため、異なる視点の画像が見える。図２９は、左右の眼に大まかにどの視点の画像が見えているかを示す模式図であり、図２９（ａ）は、左眼に見える画像、同（ｂ）は右眼に見える画像をそれぞれ示す。このように、左右の眼には複数の視点、この実施形態では４つの視点の画像が観察される。図３０は、各画像の中で左右の眼が実際に見ている領域を示す、（ａ）は視点１の画像において左右の眼が実際に見ている領域、（ｂ）は視点２の画像において左右の眼が実際に見ている領域、（ｃ）は視点３の画像において左右の眼が実際に見ている領域、（ｄ）は視点４の画像において左右の眼が実際に見ている領域を示している。
【００９４】
調整画像を作る際には、図２９及び図３０を参考にし、図３１の（ａ）から（ｄ）に示すように、各領域の色や表示する文字などを決めればよい。この図３１において、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。この例では、左右眼に同じ色（図中括弧内の色）の模様を見せ、かつ、それぞれの眼の正面にだけ文字（Ｌ），（Ｒ）を見せるような画像を作成している。
【００９５】
このような画像を形成することで、図３２に示すように、左右の眼に赤と青の同じ縞模様が見える。図３２において、（ａ）は、左眼に見える画像、同（ｂ）は右眼に見える画像をそれぞれ示す。なお、色の書いていない部分の色はどのような色でも良い。
【００９６】
ここで、文字を省略すると、画像１と３、画像２と４の区別がなくなるので、調整画像としては不十分である。逆に色を省略し、文字のみの場合は調整画像として効果がある。この場合は全画像の背景色が白などで統一されるが、薄く明暗のモアレは見えるので、これを見ながら回転方向の調整を行い、文字の見え方で水平方向の調整を行なえばよい。
【００９７】
次に、具体的な調整画像の例を図３３に示す。図３３において、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。モアレを見ている状態では、画像の境界付近は２つの視点画像が混ざる領域となる。ここでは、この画像の境界となる上下の部分に、縞の状態が確認できる画像として黒い帯の画像を付加している。この黒い帯の中に描かれた全画像に共通の画像が、モアレを合わせる目標となる。これにより調整完了時の見え方が、図３４のように上下に同じ色もしくは模様となる。なお、垂直画素ピッチが水平画素ピッチのｎ倍の時、水平モアレピッチは眼間距離に等しく、垂直モアレピッチは眼間距離のｎ倍となる。例えば、カラー画像の場合には、垂直画素ピッチが３倍となる。
【００９８】
図３５は、更に他の具体的な調整画像の例を示し、画像に「Ｌ」及び「Ｒ」の文字を入れる例を示している。図３５において、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。この図３５に示す調整画像を用いると、調整完了時には、図３６（ａ）（ｂ）に示すように画像が観察できる。図３６において、（ａ）は、左眼に見える画像、同（ｂ）は右眼に見える画像をそれぞれ示す。、右眼では「Ｒ」が、左眼では「Ｌ」が見える。なお、調整においては中央付近のモアレのみが見えればよいので、ここでは不要な領域を一定の色や模様としている。
【００９９】
図３７は、更に異なる具体的な調整画像の例を示し、左右の眼で見える文字や画像が、両方で意味をもつように作られている。図３７において、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。この図３６に示す調整画像を用いると、図３７に示すように、左右の眼で見た状態で、意味のある言葉や顔の画像となっている。
【０１００】
図示しないが、全画像に共通の固定パターンに、最終的にどのような文字、言葉、図などが見えるべきかを示してもよい。
【０１０１】
次に、より視点数が多い場合について説明する。なお、ここでは水平方向のモアレのみを説明する。図３９は、パララックスバリア２１のある開口部と８つの異なる視点に対応する画素との関係を示す模式図である。この図３９の例では、適視距離では右眼が「５」、左眼が「４」を観察する状態である。そして、調整完了時においてモアレを見る距離では、左右の眼に見える画像は図４０のようになる。図４０において、（ａ）は左眼に見える画像、（ｂ）は右眼に見える画像を示している。この図４０から分かるように、右眼の正面は「５」で左眼の正面は「４」となっている。この状態でバリアが左にずれると、適視距離では右眼が「６」、左眼が「５」を見る状態となるので、モアレを見る距離では図４１（ａ）のようになる。逆にバリアが右にずれると、適視距離では右眼が「４」、左眼が「３」を見る状態となるので、モアレを見る距離では図４１（ｂ）のようになる。
【０１０２】
図４２は、このような場合の各視点の調整画像の例である。（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域、（ｅ）は視点５の画像において左右の眼が見ている領域、（ｆ）は視点６の画像において左右の眼が見ている領域、（ｇ）は視点７の画像において左右の眼が見ている領域、（ｈ）は視点８の画像において左右の眼が見ている領域を示す。
【０１０３】
調整完了時には、図４３に示すのように矢印は見えないが、バリアが左右にずれた状態では、図４４（ａ）、（ｂ）のように調整の方向を示す矢印が右眼もしくは左眼に見える。視点数が多いと水平方向の調整範囲が広くなるので、このような手法で正しい位置が近づいていることを示すことができる。なお、ここでは調整の方向はバリアを移動すべき方向としているが、モアレが移動すべき方向としてもよい。図４０、図４１からバリアの移動と画像の移動、つまりモアレの移動は逆であることがわかる。
【０１０４】
視点が多い場合は、必ずしも正面の画像が正確に合っている必要はない。そこで、中心付近の視点の画像を他と異なる画像とするだけでも調整は可能である。図４５の例では、視点３〜６の画像に白帯を表示し、正面で画面中央付近に白い筋が見えるように調整する。
【０１０５】
尚、図４５において、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域、（ｅ）は視点５の画像において左右の眼が見ている領域、（ｆ）は視点６の画像において左右の眼が見ている領域、（ｇ）は視点７の画像において左右の眼が見ている領域、（ｈ）は視点８の画像において左右の眼が見ている領域を示す。
【０１０６】
以上の例で、視点数が奇数、例えば７の場合は両端の画像画像１もしくは画像８を省けばよいし、図４５の例では画像３〜６のうちのひとつを省いて白帯を表示する画像を３つにしても良い。
【０１０７】
また、矢印は垂直方向の調整にも使用でき、見える矢印の関係から回転方向の調整も行うことができる。
【０１０８】
また、各領域の色、模様、文字や画像、矢印を表示する位置などは以上の例と同じである必要はない。
【０１０９】
また、バリアは以上の例とは異なるものでもよく、例えば、図４６のような形状のもが考えられる。
【０１１０】
尚、上記実施形態においては、画面幅を全て眼間距離の４倍として説明したが、これに限定されるものではない。
【０１１１】
また、モアレを観察する距離を適視距離の１／２として説明したが、１／３などの場合も同様の手法で調整画像が作成できる。
【０１１２】
次に、これらの調整をソフトウェアで指示しながら対話形式に行う例につき説明する。図４７は、液晶ディスプレイ装置１に表示される画像の例を示す模式図であり、画像には調整のためのつまみを矢印で示し、調整が完了した時の見え方を表示している。このような画像を調整の各段階で表示して調整する。
【０１１３】
この調整方法が適用される立体映像表示システム構成を図４８に示す。図４８は立体映像表示装置のシステム構成を示すブロック図であり、ディスプレイ１００には上記した映像分離装置２が装着されている。ディスプレイ装置１００には、液晶表示パネルを備える。この液晶表示パネルには、図２３に示すように複数の視点からの画像が表示される。映像処理回路１０２は、画像メモリ１０５に一旦保持された複数の視点の画像データを取り込み、処置の信号処理を施し、映像ドライブ回路１０１に与える。映像ドライブ回路１０１は、与えられた画像信号に基づきドライバを駆動し、ディスプレイ装置１００に所定の画像を表示させる。コントローラ１０３はマイクロコンピュータにより構成され、プログラムメモリ１０４に格納されたプログラムに基づき各ブロックを制御する。このプログラムメモリ１０４には、各種動作を制御するプログラムの他、この実施形態においては、後述する画像調整用プログラムが格納され、画像調整動作をユーザに対して対話式に動作を行えるように制御する。
【０１１４】
この画像調整用プログラムは、例えば、ＣＤ−ＲＯＭなどに格納され、このＲＯＭからシステムにインストールすることにより利用される。立体画像データはインターフェース１０６を介して画像メモリ１０５に取り込まれる。
【０１１５】
このようなシステムにおいて、位置調整をソフトウェアで指示しながら対話形式に行う手順につき、図４９、図５０のフローチャート並びに図５１から図５７に示す表示画面の例に参照して説明する。
【０１１６】
位置調整動作を開始させると、ディスプレイ装置１００に図５１に示すような調整初期画面を表示させる（ステップＳ１）。初期調整画面は、調整に必要なつまみを矢印で示し、回転調整が完了した時の見え方を表示する。続いて、調整完了動作をユーザが行うか否か待機する（ステップＳ２）。ユーザは調整が終了するとリターンキーや調整完了ボタンをマウスなどのポインティングデバイスを用いて指示すると動作が終了する。調整完了動作が行われない場合には、調整方法の指示があるまで待機し（ステップＳ３）、調整方法が指示されると次の調整画面である高さ調整の指示の画面をディスプレイ装置１００に表示させる（ステップＳ４）。ディスプレイ装置１００には、図５２に示す表示がなされる。
【０１１７】
ユーザはディスプレイ装置１００に表示された指示に従い、映像分離装置２を構成するフィルタキットの背面が液晶表示画面に密着する高さに調整して取り付ける。続いて、次入力されるまで待機し（ステップＳ５）、次の指示動作が行われると、次に進むという指示か否か判断される（ステップＳ６）。指示が次に進むでない場合にはステップＳ７へ進み、次に進むの場合にはステップＳ８に進む。ステップＳ７においては、戻るという指示か否か判断され、戻るという指示であれば、ステップＳ１に戻り、初期画面に戻る。戻るでない場合には、この実施形態では完了（ＯＫ）を指示したと判断し、動作が終了する。
【０１１８】
ステップＳ８においては、次の調整画面である観察位置調整の指示の画面をディスプレイ装置１００に表示させる。ディスプレイ装置１００には、図５３に示す表示がなされる。図５３の表示に従いユーザが観察位置を調整すると、次入力されるまで待機し（ステップＳ９）、次の指示動作が行われると、次に進むという指示か否か判断される（ステップＳ１０）。指示が次に進むでない場合にはステップＳ１１へ進み、次に進むの場合にはステップＳ１２に進む。ステップＳ１１においては、戻るという指示か否か判断され、戻るという指示であれば、ステップＳ４に戻り、高さ調整の画面に戻る。戻るでない場合には、この実施形態では完了（ＯＫ）を指示したと判断し、動作が終了する。
【０１１９】
ステップＳ１２においては、次の調整画面である斜め調整の指示の画面をディスプレイ装置１００に表示させる。ディスプレイ装置１００には、図５４に示す表示がなされる。図５４の表示に従いユーザが斜め調整つまみを回して斜め位置の観察位置を調整すると、次入力されるまで待機し（ステップＳ１３）、次の指示動作が行われると、次に進むという指示か否か判断される（ステップＳ１４）。指示が次に進むでない場合にはステップＳ１５へ進み、次に進むの場合にはステップＳ１６に進む。ステップＳ１５においては、戻るという指示か否か判断され、戻るという指示であれば、ステップＳ８に戻り、観察位置調整の画面に戻る。戻るでない場合には、この実施形態では完了（ＯＫ）を指示したと判断し、動作が終了する。
【０１２０】
ステップＳ１６においては、次の調整画面である観察位置調整の指示の画面をディスプレイ装置１００に表示させる。ディスプレイ装置１００には、図５５に示す表示がなされる。図５５の表示に従いユーザが画面の中央に観察位置を調整すると、次入力されるまで待機し（ステップＳ１７）、次の指示動作が行われると、次に進むという指示か否か判断される（ステップＳ１８）。指示が次に進むでない場合にはステップＳ１９へ進み、次に進むの場合にはステップＳ２０に進む。ステップＳ１９においては、戻るという指示か否か判断され、戻るという指示であれば、ステップＳ１２に戻り、斜め調整の画面に戻る。戻るでない場合には、この実施形態では完了（ＯＫ）を指示したと判断し、動作が終了する。
【０１２１】
ステップＳ２０においては、次の調整画面である水平位置調整の指示の画面をディスプレイ装置１００に表示させる。ディスプレイ装置１００には、図５６に示す表示がなされる。図５６の表示に従いユーザが水平移動調整つまみを用いて水平位置を調整すると、次入力されるまで待機し（ステップＳ２１）、次の指示動作が行われると、次に進むという指示か否か判断される（ステップＳ２２）。指示が次に進むでない場合にはステップＳ２３へ進み、次に進むの場合にはステップＳ２４に進む。ステップＳ２３においては、戻るという指示か否か判断され、戻るという指示であれば、ステップＳ１６に戻り、観察調整の画面に戻る。戻るでない場合には、この実施形態では完了（ＯＫ）を指示したと判断し、動作が終了する。そして、ステップＳ２４においては、ディスプレイ装置１００に位置調整が完了したことを表す画像を表示し、ユーザに確認を促す。ユーザは調整が終了するとリターンキーや図示していないＯＫボタンを押す。という具合である。このようにして調整が容易に行える。
【０１２２】
また、上記した実施形態は、光学分離装置が着脱自在のものに適用する場合につき説明したが、光学分離装置を位置調整後、表示パネルに固定する立体映像表示装置にも後調整や画像調整に適用できることは言うまでもない。
【０１２３】
また、上記した実施形態においては、映像表示装置として、液晶表示ディスプレイ装置を用いたが、他の表示装置、例えばプラズマディスプレイ、リアプロジェクション装置、有機ＥＬ発光デバイスを用いた装置などを用いることもできる。
【０１２４】
【発明の効果】
以上、説明したように、この発明によれば、左右の眼に見える干渉縞の明暗の位置が完全に一致し、違和感がなくなり、その画像を観察することにより光学分離装置の調整を容易に行える。また、適視距離より近い距離で調整を行うことができるので、適視距離が遠い立体表示装置であっても調整時には光学分離装置に手が届き、調整画像を見ながら容易に調整を行える。
【０１２５】
【図面の簡単な説明】
【図１】
この発明が適用される液晶ディスプレイ装置を示す正面図である。
【図２】
この発明が適用して好適な光学分離装置を示す正面図である。
【図３】
この光学分離装置を液晶ディスプレイ装置に取り付ける状態を示す正面図である。
【図４】
この光学分離装置を液晶ディスプレイ装置に取り付けた状態を示す正面図である。
【図５】
この光学分離装置を液晶ディスプレイ装置に取り付けた状態を示す側面図である。
【図６】
２眼式立体映像表示装置における最適観察距離での映像の見え方を示す模式図である。
【図７】
この発明における調整時の観察距離での映像の見え方を示す模式図である。
【図８】
この発明における調整画像の例を示す図である。
【図９】
この発明における調整画像の例を示す図である。
【図１０】
この発明における他の調整画像の例を示す図である。
【図１１】
この発明における更に他の調整画像の例を示す図である。
【図１２】
この発明における異なる調整画像の例を示す図である。
【図１３】
この発明における更に異なる調整画像の例を示す図である。
【図１４】
水平４眼式立体映像表示装置における最適観察距離での映像の見え方を示す模式図である。
【図１５】
水平４眼式立体映像表示装置における調整時の観察距離での映像の見え方を示す模式図である。
【図１６】
水平４眼式立体映像表示装置での表示画像を示す図である。
【図１７】
この発明における水平４眼式立体映像表示装置での調整画像の例を示す図である。
【図１８】
この発明における水平４眼式立体映像表示装置での他の調整画像の例を示す図である。
【図１９】
この発明における水平４眼式立体映像表示装置での更に他の調整画像の例を示す図である。
【図２０】
この発明における水平４眼式立体映像表示装置での異なる調整画像の例を示す図である。
【図２１】
この発明における水平４眼式立体映像表示装置での更に異なる調整画像の例を示す図である。
【図２２】
垂直にも複数の視点を有する立体映像表示装置での調整画像を示す図である。
【図２３】
斜めバリアを用いたときの液晶表示画面に表示される画素の関係を示す模式図である。
【図２４】
図２３の表示画面に対応するパララックスバリアを示す模式図である。
【図２５】
適視距離において、左眼で図２３に示す表示画面を見た状態を示す模式図である。
【図２６】
適視距離において、右眼で図２３に示した表示画面を見た状態を示す模式図である。
【図２７】
適視距離の半分の距離において、左眼で図２３に示す表示画面を見た状態を示す模式図である。
【図２８】
適視距離の半分の距離において、右眼で図２３に示した表示画面を見た状態を示す模式図である。
【図２９】
左右の眼に大まかにどの視点の画像が見えているかを示す模式図であり、（ａ）は、左眼に見える画像、同（ｂ）は右眼に見える画像をそれぞれ示す。
【図３０】
各画像の中で左右の眼が実際に見ている領域を示す模式図であり、（ａ）は視点１の画像において左右の眼が実際に見ている領域、（ｂ）は視点２の画像において左右の眼が実際に見ている領域、（ｃ）は視点３の画像において左右の眼が実際に見ている領域、（ｄ）は視点４の画像において左右の眼が実際に見ている領域を示す。
【図３１】
調整画像の一例を示す模式図であり、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。
【図３２】
図３１に示す調整画像を観察した状態を示す模式図であり、（ａ）は、左眼に見える画像、同（ｂ）は右眼に見える画像をそれぞれ示す。
【図３３】
調整画像の他の例を示す模式図であり、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。
【図３４】
図３３に示す調整画像を観察した状態を示す模式図であり、（ａ）は、左眼に見える画像、同（ｂ）は右眼に見える画像をそれぞれ示す。
【図３５】
調整画像の更に他の例を示す模式図であり、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。
【図３６】
図３５に示す調整画像を観察した状態を示す模式図であり、（ａ）は、左眼に見える画像、同（ｂ）は右眼に見える画像をそれぞれ示す。
【図３７】
調整画像の異なる例を示す模式図であり、（ａ）は視点１の画像において左右の眼が見ている領域、（ｂ）は視点２の画像において左右の眼が見ている領域、（ｃ）は視点３の画像において左右の眼が見ている領域、（ｄ）は視点４の画像において左右の眼が見ている領域を示す。
【図３８】
図３１に示す調整画像を観察した状態を示す模式図である。
【図３９】
パララックスバリアのある開口部と８つの異なる視点に対応する画素との関係を示す模式図である。
【図４０】
調整完了時においてモアレを見る距離で見える画像を示す模式図であり、（ａ）は左眼に見える画像、（ｂ）は右眼に見える画像を示している。
【図４１】
モアレを見る距離でバリアずれた状態を示す模式図であり、（ａ）は左にずれるた場合、（ｂ）は右にずれた状態を示す。
【図４２】
調整画像の一例を示す模式図である。
【図４３】
図４２に示す調整画像を観察した状態を示す模式図である。
【図４４】
図４２に示す調整画像でバリアがずれている場合を示す模式図であり、（ａ）はバリアが左にずれている場合、（ｂ）は右にずれている場合を示す。
【０００１】
図４２は、このような場合の各視点の調整画像の例である。
【図４５】
調整画像の一例を示す模式図である。
【図４６】
パララックスバリアの例を示す平面図である。
【図４７】
液晶ディスプレイ装置に表示される画像の例を示す模式図である。
【図４８】
この発明の立体映像表示システムの構成を示すブロック図である。
【図４９】
この発明の立体映像表示システムの調整画像の制御動作を示すフロー図である。
【図５０】
この発明の立体映像表示システムの調整画像の制御動作を示すフロー図である。
【図５１】
この発明の立体映像表示システムの調整画像を示す模式図である。
【図５２】
この発明の立体映像表示システムの調整画像を示す模式図である。
【図５３】
この発明の立体映像表示システムの調整画像を示す模式図である。
【図５４】
この発明の立体映像表示システムの調整画像を示す模式図である。
【図５５】
この発明の立体映像表示システムの調整画像を示す模式図である。
【図５６】
この発明の立体映像表示システムの調整画像を示す模式図である。
【図５７】
この発明の立体映像表示システムの調整画像を示す模式図である。
【符号の説明】
１　液晶ディスプレイ装置
１１　液晶パネル
２　光学分離装置
２１　パララックスバリア基板
【図１】
2004004683.tif 000004
【図２】
2004004683.tif 000005
【図３】
2004004683.tif 000006
【図４】
2004004683.tif 000007
【図５】
2004004683.tif 000008
【図６】
2004004683.tif 000009
【図７】
2004004683.tif 000010
【図８】
2004004683.tif 000011
【図９】
2004004683.tif 000012
【図１０】
2004004683.tif 000013
【図１１】
2004004683.tif 000014
【図１２】
2004004683.tif 000015
【図１３】
2004004683.tif 000016
【図１４】
2004004683.tif 000017
【図１５】
2004004683.tif 000018
【図１６】
2004004683.tif 000019
【図１７】
2004004683.tif 000020
【図１８】
2004004683.tif 000021
【図１９】
2004004683.tif 000022
【図２０】
2004004683.tif 000023
【図２１】
2004004683.tif 000024
【図２２】
2004004683.tif 000025
【図２３】
2004004683.tif 000026
【図２４】
2004004683.tif 000027
【図２５】
2004004683.tif 000028
【図２６】
2004004683.tif 000029
【図２７】
2004004683.tif 000030
【図２８】
2004004683.tif 000031
【図２９】
2004004683.tif 000032
【図３０】
2004004683.tif 000033
【図３１】
2004004683.tif 000034
【図３２】
2004004683.tif 000035
【図３３】
2004004683.tif 000036
【図３４】
2004004683.tif 000037
【図３５】
2004004683.tif 000038
【図３６】
2004004683.tif 000039
【図３７】
2004004683.tif 000040
【図３８】
2004004683.tif 000041
【図３９】
2004004683.tif 000042
【図４０】
2004004683.tif 000043
【図４１】
2004004683.tif 000044
【図４２】
2004004683.tif 000045
【図４３】
2004004683.tif 000046
【図４４】
2004004683.tif 000047
【図４５】
2004004683.tif 000048
【図４６】
2004004683.tif 000049
【図４７】
2004004683.tif 000050
【図４８】
2004004683.tif 000051
【図４９】
2004004683.tif 000052
【図５０】
2004004683.tif 000053
【図５１】
2004004683.tif 000054
【図５２】
2004004683.tif 000055
【図５３】
2004004683.tif 000056
【図５４】
2004004683.tif 000057
【図５５】
2004004683.tif 000058
【図５６】
2004004683.tif 000059
【図５７】
2004004683.tif 000060